(57)【要約】【課題】受信感度がよく、かつ小型化軽量を実現することが可能で、しかも、外部からの衝撃を受けた際でも充分に耐衝撃緩衝効果を発揮することが可能なアンテナ装置及び電波受信機器を提供する。【解決手段】ケース本体７の内周面と板状の時計モジュール部材４の外周面との間に配置された衝撃緩衝部材１６、１７を構成しているアンテナ支持部材１５に、アンテナ構造体７０を設けている。このアンテナ構造体７０のコア７１は、板状の時計モジュール部材４の厚み方向と直交する横断方向に重畳して配置された複数のコア用板状部材から形成されており、その両端から延びた折曲部７１２，７１２は、部板状の時計モジュール部材４の外周面に沿うように配置される。これにより、ケース本体７および板状の時計モジュール部材４の水平方向の長さ寸法を大幅に小さくしながら、全体サイズの大きなアンテナ構造体７０をケース本体７の内部に配置することができる。【選択図】図６
2011109304.tif 000002
【特許請求の範囲】
【請求項１】
機器ケースの内周面とこの機器ケース内に収納される板状のモジュール部材の外周面との間に配置される環状のアンテナ支持部材と、
このアンテナ支持部材に設けられたアンテナ構造体と、
前記機器ケースが外部から衝撃を受けた際に当該外部衝撃を緩衝するために、前記アンテナ支持部材に設けられた衝撃緩衝部材と、
を備えていることを特徴とするアンテナ装置。
【請求項２】
前記アンテナ構造体は、長尺なコアと、この長尺なコアの中央部に当該コアの長手方向と直交する方向に巻きつけられたコイルとを備え、
前記長尺なコアは、前記板状のモジュール部材の厚み方向と直交する横断方向に重畳して配置された複数のコア用板状部材から形成されており、前記板状のモジュール部材の内部の位置ではなく、その外部の位置で、かつ、当該モジュール部材の外周面に沿うように配置されることを特徴とする請求項１に記載のアンテナ装置。
【請求項３】
前記衝撃緩衝部材は、
前記アンテナ支持部材のうちの所定箇所に配置され、前記機器ケースが外部から衝撃を受けた際に弾性変形して前記衝撃を弾力的に吸収する第１の衝撃吸収部材と、
この第１の衝撃吸収部材が配置された箇所を除く他の箇所に並列的に配置され、前記機器ケースが外部から衝撃を受けた際に、その衝撃を前記第１の衝撃吸収部材よりも先に受けて、前記衝撃力に応じて体積変化して、前記衝撃を逃がすように吸収する第２の衝撃吸収部材と、
を備えていることを特徴とする請求項１に記載のアンテナ装置。
【請求項４】
機器ケースと、
この機器ケース内に収納された板状のモジュール部材と、
前記機器ケースの内周面と前記板状のモジュール部材の外周面との間に配置されたアンテナ支持部材と、
このアンテナ支持部材に設けられたアンテナ構造体と、
前記機器ケースが外部から衝撃を受けた際に当該外部衝撃を緩衝するために、前記アンテナ支持部材に設けられた衝撃緩衝部材と、
を備えていることを特徴とする電波受信機器。
【請求項５】
前記アンテナ構造体は、長尺なコアと、この長尺なコアの中央部に当該コアの長手方向と直交する方向に巻きつけられたコイルとを備え、
前記長尺なコアは、前記板状のモジュール部材の厚み方向と直交する横断方向に重畳して配置された複数のコア用板状部材から形成されており、前記板状のモジュール部材の内部の位置ではなく、その外部の位置で、かつ、当該モジュール部材の外周面に沿うように配置されていることを特徴とする請求項４に記載の電波受信機器。
【請求項６】
前記衝撃緩衝部材は、
前記アンテナ支持部材のうちの所定箇所に配置され、前記機器ケースが外部から衝撃を受けた際に弾性変形して前記衝撃を弾力的に吸収する第１の衝撃吸収部材と、
この第１の衝撃吸収部材が配置された箇所を除く他の箇所に並列的に配置され、前記機器ケースが外部から衝撃を受けた際に、その衝撃を前記第１の衝撃吸収部材よりも先に受けて、前記衝撃力に応じて体積変化して、前記衝撃を逃がすように吸収する第２の衝撃吸収部材と、
を備えていることを特徴とする請求項４に記載の電波受信機器。
【請求項７】
前記第１の衝撃吸収部材と前記第２の衝撃吸収部材は、前記アンテナ支持部材の外面に並列的に配置されていることを特徴とする請求項６に記載の電波受信機器。
【発明の詳細な説明】
【技術分野】
【０００１】
本発明は、アンテナ装置及び電波受信機器に関する。
【背景技術】
【０００２】
従来から、小型軽量で受信感度の良好なアンテナ構造体を備えている電波時計が知られている（例えば、特許文献１参照）。
【先行技術文献】
【特許文献】
【０００３】
【特許文献１】特開２００８−１４１３８７号公報
【発明の概要】
【発明が解決しようとする課題】
【０００４】
しかしながら、特許文献１に記載されている技術では、コアを構成している複数枚の板状部材を、時計モジュール部材の厚み方向に積み重ねる構成となっている。このため時計ケースの限られた空間内にアンテナ構造体を効率よく配置することができず、アンテナ構造体を収容するスペースを確保するために時計ケースを大きくする必要があり、電波腕時計の小型軽量化が困難であるという問題がある。
【０００５】
そこで、本発明は以上のような事情に鑑みてなされたものであり、受信感度がよく、かつ小型化軽量を実現することが可能で、しかも、外部からの衝撃を受けた際でも充分に耐衝撃緩衝効果を発揮することが可能なアンテナ装置及び電波受信機器を提供することを目的とする。
【課題を解決するための手段】
【０００６】
前記課題を解決するために、請求項１の本発明のアンテナ装置は、
機器ケースの内周面とこの機器ケース内に収納される板状のモジュール部材の外周面との間に配置される環状のアンテナ支持部材と、
このアンテナ支持部材に設けられたアンテナ構造体と、
前記機器ケースが外部から衝撃を受けた際に当該外部衝撃を緩衝するために、前記アンテナ支持部材に設けられた衝撃緩衝部材と、
を備えていることを特徴とする。
【０００７】
請求項２の本発明のアンテナ装置は、請求項１に記載のアンテナ装置において、
前記アンテナ構造体は、長尺なコアと、この長尺なコアの中央部に当該コアの長手方向と直交する方向に巻きつけられたコイルとを備え、
前記長尺なコアは、前記板状のモジュール部材の厚み方向と直交する横断方向に重畳して配置された複数のコア用板状部材から形成されており、前記板状のモジュール部材の内部の位置ではなく、その外部の位置で、かつ、当該モジュール部材の外周面に沿うように配置されることを特徴とする。
【０００８】
請求項３の本発明のアンテナ装置は、請求項１に記載のアンテナ装置において、
前記衝撃緩衝部材は、
前記アンテナ支持部材のうちの所定箇所に配置され、前記機器ケースが外部から衝撃を受けた際に弾性変形して前記衝撃を弾力的に吸収する第１の衝撃吸収部材と、
この第１の衝撃吸収部材が配置された箇所を除く他の箇所に並列的に配置され、前記機器ケースが外部から衝撃を受けた際に、その衝撃を前記第１の衝撃吸収部材よりも先に受けて、前記衝撃力に応じて体積変化して、前記衝撃を逃がすように吸収する第２の衝撃吸収部材と、
を備えていることを特徴とする。
【０００９】
請求項４の本発明の電波受信機器は、
機器ケースと、
この機器ケース内に収納された板状のモジュール部材と、
前記機器ケースの内周面と前記板状のモジュール部材の外周面との間に配置されたアンテナ支持部材と、
このアンテナ支持部材に設けられたアンテナ構造体と、
前記機器ケースが外部から衝撃を受けた際に当該外部衝撃を緩衝するために、前記アンテナ支持部材に設けられた衝撃緩衝部材と、
を備えていることを特徴とする。
【００１０】
請求項５の本発明の電波受信機器は、請求項４に記載の電波受信機器において、
前記アンテナ構造体は、長尺なコアと、この長尺なコアの中央部に当該コアの長手方向と直交する方向に巻きつけられたコイルとを備え、
前記長尺なコアは、前記板状のモジュール部材の厚み方向と直交する横断方向に重畳して配置された複数のコア用板状部材から形成されており、前記板状のモジュール部材の内部の位置ではなく、その外部の位置で、かつ、当該モジュール部材の外周面に沿うように配置されていることを特徴とする。
【００１１】
請求項６の本発明の電波受信機器は、請求項４に記載の電波受信機器において、
前記衝撃緩衝部材は、
前記アンテナ支持部材のうちの所定箇所に配置され、前記機器ケースが外部から衝撃を受けた際に弾性変形して前記衝撃を弾力的に吸収する第１の衝撃吸収部材と、
この第１の衝撃吸収部材が配置された箇所を除く他の箇所に並列的に配置され、前記機器ケースが外部から衝撃を受けた際に、その衝撃を前記第１の衝撃吸収部材よりも先に受けて、前記衝撃力に応じて体積変化して、前記衝撃を逃がすように吸収する第２の衝撃吸収部材と、
を備えていることを特徴とする。
【００１２】
請求項７の本発明の電波受信機器は、請求項６に記載の電波受信機器において、
前記第１の衝撃吸収部材と前記第２の衝撃吸収部材は、前記アンテナ支持部材の外面に並列的に配置されていることを特徴とする。
【発明の効果】
【００１３】
この発明によれば、機器ケースの内周面と板状のモジュール部材の外周面との間に配置されたアンテナ支持部材にアンテナ構造体を設けているので、機器ケースが外部から衝撃を受けた際に、衝撃緩衝部材による衝撃緩衝作用によりモジュール部材およびアンテナ構造体を緩衝保護することができる。
また、この発明によれば、板状のモジュール部材の厚み方向と直交する横断方向に重畳して配置された複数のコア用板状部材から形成されたアンテナ構造体のコアを、板状の時計モジュール部材４の内部の位置ではなく、その外部の位置で、かつ、当該時計モジュール部材の外周面に沿うように配置しているので、ケース本体および板状の時計モジュール部材の水平方向の長さ寸法を大幅に小さくすることができるばかりでなく、全体サイズの大きなアンテナ構造体をケース本体の内部に配置することができる。このために、受信感度の良好なアンテナ構造体を備えた電波受信機器を提供することができる。
【図面の簡単な説明】
【００１４】
【図１】この発明を腕時計に適用した一実施形態を示した正面図である。
【図２】図１の腕時計のII−II矢視における拡大断面図である。
【図３】図１の腕時計のIII−III矢視における拡大断面図である。
【図４】図２の腕時計において時計モジュールおよび緩衝部材を示した拡大裏面図である。
【図５】図４の腕時計において時計モジュールおよび緩衝部材を示した分解斜視図である。
【図６】図５の緩衝部材を示した分解斜視図である。
【発明を実施するための形態】
【００１５】
以下、図１〜図６を参照して、この発明を腕時計に適用した一実施形態について説明する。
この腕時計は、図１〜図３に示すように、腕時計ケース１を備えている。この腕時計ケース１の上部開口部には、時計ガラス２がパッキン２ａを介して装着されており、腕時計ケース１の下部には、裏蓋３が防水リング３ａを介して取り付けられている。また、この腕時計ケース１内には、時計モジュール部材４が緩衝部材５および回路基板６を介して配置されている。
【００１６】
腕時計ケース１は、図２および図３に示すように、硬質の合成樹脂からなるケース本体７と、このケース本体７の外周面に設けられた２層構造のベゼル８とを備えている。ケース本体７には、金属製の補強部材７ａが内側上部から内部に向けて突出した状態でインサート成形によって設けられている。また、ベゼル８は、ケース本体７の外周面に設けられた軟質の合成樹脂からなる下側ベゼル８ａと、この下側ベゼル８ａの外表面に設けられて下側ベゼル８ａよりも少し硬い軟質の合成樹脂からなる上側ベゼル８ｂとで構成されている。
【００１７】
また、この腕時計ケース１における１２時側と６時側との各側部には、図１および図２に示すように、時計バンド９を取り付けるためのバンド取付部１０がそれぞれ設けられている。さらに、この腕時計ケース２における３時側および９時側の各側部には、それぞれ押釦スイッチ１１が２つずつ設けられている。
【００１８】
時計モジュール部材４は、図２および図３に示すように、硬質の合成樹脂から形成されている。この時計モジュール部材４の上部には、時刻などの情報を電気光学的に表示する表示パネル１３が設けられている。この表示パネル１３は、液晶表示素子やＥＬ（エレクトロルミネッセンス）表示素子などの平面型の表示素子で構成されている。また、このモジュール部材４の内部には、表示パネル１３を駆動するための電子回路部４aや、時計機能に必要な各種の電子部品４ｂが組み込まれている。また、図５に示すように、モジュール部材４の上面には、端子部材１１ｃが設けられている。この端子部材１１ｃは、当該モジュール部材４の外周において、後述する２つの押釦スイッチ１１により押し込み操作される端子板１１ｂを備えている。
【００１９】
この時計モジュール部材４は、図２および図３に示すように、その時計モジュール部材４の外周面に緩衝部材５が被せられた状態で、腕時計ケース１内に収納されている。時計モジュール部材４の下面は、クッション材６が押え板１４によって押さえられ、さらに裏蓋３によって腕時計ケース１内に押し付けられて配置されている。この場合、クッション材６は、ゴムなどの弾性材料からなり、平板状に形成されている。
【００２０】
緩衝部材５は、図２〜図６に示すように、腕時計ケース１の内周面と時計モジュール部材４の外周面との間に配置されるアンテナ支持部材１５と、このアンテナ支持部材１５の外周面上に配置され、腕時計ケース１が外部から衝撃を受けた際に弾性変形して、その衝撃を弾力的に吸収する第１の衝撃吸収部材１６と、この第１の衝撃吸収部材１６が配置された箇所を除く他の箇所に並列的に配置され、腕時計ケース１が外部から衝撃を受けた際に体積変化して、その衝撃を第１の衝撃吸収部材１６よりも先に受けて、外部衝撃を逃がすように吸収する複数の第２の衝撃吸収部材１７とを備えている。
【００２１】
アンテナ支持部材１５は、ポリアセタール（ＰＯＭ）などの硬質の合成樹脂からなり、図２〜図６に示すように、時計モジュール部材４の上面における周縁部上に配置されるリング状部１５ａと、モジュール部材４の外周面に配置される筒状部１５ｂとを有し、これらが一体に形成された構成になっている。
【００２２】
このアンテナ支持部材１５は、このように、腕時計ケース１が外部から衝撃を受けた際に、その衝撃力を全体で受け止めて時計モジュール４の一部に衝撃力が集中するのを緩和する緩和機能を備えているほかに、腕時計ケース１内において時計モジュール４が水平方向に回転するのを防止し、腕時計ケース１に対する時計モジュール４の位置決めを行う位置決め機能も併せ備えている。このために、アンテナ支持部材１５の内周面には、腕時計ケース１の定位置に位置決め用の突起または凹部（図示せず）を備えている。
筒状部１５ｂにおける３時側と９時側とには、図４〜図６に示すように、複数の押釦スイッチ１１の各軸部１１ａがそれぞれ挿入された際の逃げとなる切欠部１５ｃが設けられている。
【００２３】
また、第１の衝撃吸収部材１６は、ゴムやエラストマなどの弾性を有する材料からなり、図２〜図６に示すように、アンテナ支持部材１５の外周面における所定箇所に配置されている。この第１の衝撃吸収部材１６は、モジュール部材４の上面およびアンテナ支持部材１５のリング状部１５ａの上面の双方に亘って配置される上面部１６ａと、アンテナ支持部材１５の筒状部１５ｂの外周面における所定箇所に配置される複数の側面部１６ｂとを有し、これらが一体に形成された構成になっている。
【００２４】
この場合、上面部１６ａの中央部には、図２および図３に示すように、表示用の開口部１８が表示パネル１３の表示領域に対応して設けられている。この表示用の開口部１８の周縁部には、表示パネル１３の上面における周縁を押える見切り部１８ａが四角形の枠状に形成されている。また、この上面部１６ａは、表示用の開口部１８の見切り部１８ａを除いて、腕時計ケース１のケース本体７に設けられた補強部材７ａに弾接するように構成されている。
【００２５】
この上面部１６ａにおける補強部材７ａが弾接する箇所は、図２、図３および図５に示すように、見切り部１８ａの厚みよりも薄く形成されている。この厚みの薄い箇所には、図５および図６に示すように、波形状の補助緩衝部２０が放射状に設けられている。この補助緩衝部２０は、見切り部１８ａの厚みよりも薄く形成された上面部１６ａの肉厚よりも薄い肉厚で波形状に形成され、その全体の厚みが後述する第２の衝撃吸収部材１７の厚みとほぼ同じ厚みで形成されている。
【００２６】
これにより、補助緩衝部２０は、時計モジュール部材４の上面と補強部材７ａの下面との間に挟まれ、この状態で補強部材７ａによって押圧されると、波形状が潰れるように弾性変形する構成になっている。この場合、上面部１６ａの周縁部における１２時、３時、６時、９時の各箇所には、後述する第２の衝撃吸収部材１７の一部をアンテナ支持部材１５の外面に配置させるための切欠部１６ｃがそれぞれ設けられている。
【００２７】
また、第１の衝撃吸収部材１６の複数の側面部１６ｂは、図５および図６に示すように、アンテナ支持部材１５の筒状部１５ｂの外周面における所定箇所である１時、５時、７時、１１時の各付近に対応する箇所に設けられている。この複数の側面部１６ｂにおける外面の各中間部には、それぞれ円周方向の幅が狭い補助緩衝突起部２１が上下方向に沿って設けられている。
【００２８】
この補助緩衝突起部２１は、図３に示すように、その先端面が腕時計ケース１の内周面に接触することにより、側面部１６ｂの外周面を腕時計ケース１の内周面から離すように構成されている。
すなわち、この補助緩衝突起部２１は、後述する第２の衝撃吸収部材１７の外面とほぼ同じ高さになるように形成されている。これにより、第１の衝撃吸収部材１６の側面部１６ｂは、補助緩衝突起部２１が腕時計ケース１の内周面によって押圧されると、補助緩衝突起部２１と共に弾性変形して側面部１６ｂが腕時計ケース１の内周面に弾接するように構成されている。
【００２９】
一方、第２の衝撃吸収部材１７は、図４〜図６に示すように、アンテナ支持部材１５における第１の衝撃吸収部材１６が設けられた箇所を除く、１２時、３時、６時、９時の各箇所に配置されている。
すなわち、この第２の衝撃吸収部材１７は、第１の衝撃吸収部材１６の上面部１６ａにおける各切欠部１６ｃに対応するアンテナ支持部材１５のリング状部１５ａの上面に配置される上片部１７ａと、アンテナ支持部材１５の筒状部１５ｂの外面における第１の衝撃吸収部材１６の側面部１６ｂが配置されていない箇所に配置される側片部１７ｂとを有し、これらが一体に形成された構成になっている。
【００３０】
また、この第２の衝撃吸収部材１７は、シリコーンを主成分としたゲル状素材であり、たとえば、シリコーンゲルに、充填材であるフィラーを配合してなるシート状の衝撃緩衝材である。
このフィラーは、例えば、シリコーンゲルの１００重量部に対して１〜３重量部の合成樹脂の外殻を有する微小中空体、および１０〜３０重量部のシリカからなる。また、このゲル状素材の硬さは、アスカーＣ硬度が１５〜６０であり、その厚みは例えば０．５〜２．０ｍｍ程度であり、衝撃緩衝率が７０％以上のものである。
【００３１】
この第２の衝撃吸収部材１７は、外部から衝撃力を受けると、体積変化を伴いながら衝撃を逃がすように変形することにより、外部衝撃を吸収するように構成されている。この場合、第２の衝撃吸収部材１７は、その上片部１７ａの厚みが第１の衝撃吸収部材１６の上面部１６ａに設けられた波形状の補助緩衝部２０全体の厚みと同じか、それよりも少し厚く形成されている。また、この第２の衝撃吸収部材１７は、その側片部１７ｂの外面が第１の衝撃吸収部材１６の側面部１６ｂに設けられた補助緩衝突起部２１の先端面と同じか、それよりも少し突出するように、全体の厚みが厚く形成されている。
【００３２】
これにより、第２の衝撃緩衝部材１７は、外部から腕時計ケース１に衝撃が加わった際に、第１の衝撃吸収部材１６よりも先に衝撃が加わるように構成されている。このため、第１の衝撃吸収部材１６は、外部から腕時計ケース１に衝撃が加わった際に、その衝撃の一部が第２の衝撃吸収部材１７によって吸収された後に、この第２の衝撃吸収部材１７で吸収しきれない衝撃が加わるように構成されている。
【００３３】
すなわち、第２の衝撃緩衝部材１７は、第１の衝撃吸収部材１６が弾性変形しない程度の弱い衝撃が外部から腕時計ケース１に加わった際に、その弱い衝撃力に応じて第２の衝撃吸収部材１７６が体積変化して、その弱い衝撃を第２の衝撃吸収部材１７の面方向に逃がすことにより、弱い衝撃を吸収するように構成されている。この場合、第２の衝撃吸収部材１７は、外部衝撃を受けると、速やかに体積変化し、その変化した最大体積の状態をしばらく維持した後に、減衰振動を起こすことなく、元の状態に戻るように構成されている。
【００３４】
一方、第１の衝撃吸収部材１６は、それ自体が弾性変形する程度の強い衝撃が外部から腕時計ケース１に加わった際に、まず、その衝撃の一部が第２の衝撃吸収部材１７によって吸収され、この第２の衝撃吸収部材１７で吸収しきれない衝撃を第１の衝撃吸収部材１６の弾性変形によって弾力的に吸収するように構成されている。この場合、第１の衝撃吸収部材１６は、単独で衝撃を受けた場合に、急激に弾性変形した後に、減衰振動を起こしながら、徐々に元の状態に戻るように構成されている。
【００３５】
このため、第１の衝撃吸収部材１６は、第２の衝撃吸収部材１７と組み合わせて使用した場合には、衝撃力を受けて第２の衝撃吸収部材１７と共に弾性変形して減衰する際に、その減衰途中から第２の衝撃吸収部材１７によって減衰振動が抑えられることにより、減衰振動の途中から減衰振動が緩和されながら元の状態に戻るように構成されている。
【００３６】
一方、時計モジュール部材６の内部には、アンテナ構造体７０、および、電波腕時計１００の各部に電力を供給するためのバッテリー（図示せず）、各種回路等が実装された回路基板６を含む各種の電子部品４ａが電子部品保持部４Ａを介して設けられている。
回路基板６に実装される回路要素としては、例えば、電波腕時計１００の各部を制御するＣＰＵ等の制御ＩＣ、後述するアンテナ構造体７０によって検出された電気信号を増幅・復調して標準電波に含まれる時刻データを取り出す受信回路、発振器を有して現在時刻を計時する計時回路等（いずれも図示せず）がある。
時計モジュール部材４は、モジュール支持部材６１によって電波腕時計１００の裏面側から支持され、時計ケース１内に固定されている。なお、モジュール支持部材６１は必須の構成要素ではなく、例えば、モジュール支持部材６１を設けずに、裏蓋部材５によってモジュール部材６を支持するようにしてもよい。
【００３７】
ここで、本実施形態におけるアンテナ構造体７０の構成について図４及び図５を参照しつつ具体的に述べる。
【００３８】
図２及び図４、図５に示すように、ケース本体７の内周面と板状の時計モジュール部材４の外周面との間に配置されたアンテナ支持部材１５にアンテナ構造体７０が設けられている。具体的には、アンテナ支持部材１５の一部に形成されたアンテナ取付部１５ｃ内に、アンテナ構造体７０が設けられている。これにより、ケース本体７が外部から衝撃を受けた際に、衝撃緩衝部材１６、１７による衝撃緩衝作用により時計モジュール部材４のほかに、アンテナ構造体７０をも緩衝保護されるようになっている。
このアンテナ構造体７０は、長尺なコア７１と、このコア７１の中央に形成された直線状の巻線部７１１の外周に巻回されたコイル７２と、コア７１の両端から延び、ケース本体７の内側面に沿うように折り曲げられた折曲部７１２，７１２とから構成されている。
コア７１に外部から送られてきた電波が透過すると、コイル７２に誘起電流が発生するように構成されている。コイル７２の端部は、回路基板６上に設けられた接続端子８２（図２参照）と電気的に接続されており、アンテナ構造体７０により得られた信号が回路基板６上の受信回路に送られるようになっている。
【００３９】
コア７１は、モジュール部材６の厚み方向（すなわち、電波腕時計１００の厚み方向）と直交する横断方向に重畳して配置された複数のコア用板状部材７１ａから形成されている。なお、複数の板状部材７１ａ・・・は、積層状態を維持できるように接着剤等により互いに固定されていることが好ましい。
また、このコア７１は、板状の時計モジュール部材４の内部の位置ではなく、その外部の位置で、かつ、当該時計モジュール部材４の外周面に沿うように配置されている。
【００４０】
各板状部材７１ａ・・・は、アモルファス合金等の透磁率（magnetic permeability）（磁場または磁界の強さ H と磁束密度 B との間の関係を B = μ H で表わした時の比例定数 μをいう）または比透磁率（真空の透磁率 μ0 との比 μs=μ/μ0 をいう）が高い磁性材料により形成されている。
【００４１】
なお、コア７１を形成する材料は、アモルファス合金に限定されず、薄い板状に形成可能な磁性材料であれば適用可能である。
【００４２】
このように、この腕時計の衝撃緩衝構造によれば、衝撃が外部から腕時計ケース１に加わった際に、まず、その衝撃の一部が第２の衝撃吸収部材１７の衝撃吸収作用によって吸収され、この第２の衝撃吸収部材１７で吸収しきれない衝撃を第１の衝撃吸収部材１６の弾性変形によって弾力的に吸収するので、強い衝撃を受けても、また弱い衝撃を受けても、確実に衝撃を吸収することができる。
【００４３】
すなわち、第１の衝撃吸収部材１６が弾性変形しない程度の弱い衝撃を腕時計ケース１が外部から受けた際に、その弱い衝撃力に応じて第２の衝撃吸収部材１７が体積変化して弱い衝撃を逃がすように吸収することができる。また、第１の衝撃吸収部材１６が弾性変形する程度の強い衝撃を腕時計ケース１が外部から受けた際には、まず第２の衝撃吸収部材１７が体積変化して強い衝撃の一部を逃がすように吸収した後に、この第２の衝撃吸収部材１７で吸収しきれない強い衝撃を第１の衝撃吸収部材１６の弾性変形によって吸収することができる。このため、腕時計ケース１が外部から強い衝撃を受けても、また弱い衝撃を受けても、確実に衝撃を吸収することができ、これにより腕時計ケース１内の時計モジュール部材４、この時計モジュール部材４に搭載された表示パネル１３などの電子部品４ｂのほかに、アンテナ構造体７０を確実に且つ良好に外部衝撃から緩衝保護することができる。
【００４４】
この場合、第１の衝撃吸収部材１６は、第２の衝撃吸収部材１７と組み合わせて使用した場合には、衝撃力を受けて第２の衝撃吸収部材１７と共に弾性変形して減衰する際に、その減衰途中から第２の衝撃吸収部材１７によって減衰振動が抑えられることにより、減衰振動の途中から減衰振動が緩和されながら元の状態に戻るので、第１の衝撃吸収部材１６の減衰振動によって時計モジュール部材４に及ぼす悪影響を第２の衝撃吸収部材１７で軽減することができ、これによっても時計モジュール部材４、この時計モジュール部材４に搭載された表示パネル１３などの電子部品４ｂのほかに、アンテナ構造体７０を確実に且つ良好に外部衝撃から緩衝保護することができる。
【００４５】
このため、この腕時計の衝撃緩衝構造では、時計モジュール部材４の外周面に対応して並列的に配置される第１の衝撃吸収部材１６と第２の衝撃吸収部材１７との各厚みを１．５ｍｍ程度に薄く形成することができるので、時計モジュール部材４を保護する緩衝部材５全体の肉厚を薄く形成することができ、これにより腕時計ケース１が大きくなるのを防ぐことができるので、腕時計全体の小型化を図ることができる。
【００４６】
また、この腕時計の衝撃緩衝構造では、腕時計ケース１の内周面と時計モジュール部材４の外周面との間にアンテナ支持部材１５が配置されており、このアンテナ支持部材１５の外面に第１の衝撃吸収部材１６と第２の衝撃吸収部材１６とが並列的に配置されているので、第１の衝撃吸収部材１６と第２の衝撃吸収部材１６とで衝撃を緩衝する際に、アンテナ支持部材１５の全体で衝撃を受け止めて、衝撃が時計モジュール部材４の一部分に集中するのを防ぐことができ、これによっても衝撃から時計モジュール部材４およびこの時計モジュール部材４に搭載された表示パネル１３などの電子部品４ｂのほかに、アンテナ構造体７０を確実に且つ良好に外部衝撃から緩衝保護することができる。
【００４７】
この場合、第１の衝撃吸収部材１６は、その上面部１６ａがアンテナ支持部材１５のリング状部１５ａの上面に配置されており、第２の衝撃吸収部材１７は、その上片部１７ａがアンテナ支持部材１７のリング状部１５ａの上面における第１の衝撃吸収部材１６の上面部１６ａが配置された箇所を除く他の箇所、つまり第１の衝撃吸収部材１６に設けられた切欠部１６ｃに対応するアンテナ支持部材１５のリング状部１５ａの上面に配置されているので、腕時計ケース１の上面側から衝撃を受けた際に、その衝撃を第１の衝撃吸収部材１６の上面部１６ａと第２の衝撃吸収部材１７の上片部１７ａとによって確実に且つ良好に緩衝することができる。
【００４８】
また、第１の衝撃吸収部材１６は、その側面部１６ｂがアンテナ支持部材１５の筒状部１５ｂの外周面における所定箇所に配置されており、第２の衝撃吸収部材１７は、その側片部１７ｂがアンテナ支持部材１５の筒状部１５ｂの外側面における第１の衝撃吸収部材１６が配置された箇所を除く箇所に並列的に配置されているので、腕時計ケース１の側面方向から衝撃を受けた際に、その衝撃を第１の衝撃吸収部材１６の側面部１６ｂと第２の衝撃吸収部材１７の側片部１７ｂとによって確実に且つ良好に緩衝することができる。
【００４９】
この場合、第２の衝撃緩衝部材１７は、第１の衝撃吸収部材１６の厚みよりも厚く形成されて腕時計ケース１の内面に接触しているので、腕時計ケース１が外部からの衝撃を受けた際に、その衝撃を第１の衝撃吸収部材１６よりも先に第２の衝撃吸収部材１７によって受けることができ、これにより腕時計ケース１が外部からの衝撃を受けた際に、第２の衝撃吸収部材１７によって衝撃を逃がすように吸収することができる。
【００５０】
また、第１の衝撃吸収部材１６における上面部１６ａには、肉厚の薄い波形状の補助緩衝部２０が形成されており、この補助緩衝部２１は、その全体の厚みが第２の衝撃吸収部材１７の上片部１７ａの厚みとほぼ同じ厚みに形成されていることにより、腕時計ケース１がその上面側から衝撃を受けた際に、その衝撃力が第２の衝撃吸収部材１７と補助緩衝部２０とにほぼ同時に加わるので、第２の衝撃吸収部材１７が体積変化するのとほぼ同時に、補助緩衝部２０を弾性変形させることができる。
【００５１】
すなわち、補助緩衝部２０は、第１の衝撃吸収部材１６における上面部１６ａに肉厚の薄い波形状に形成されているので、上面部１６ａ全体の弾性力よりも補助緩衝部２０の弾性力が小さく、上面部１６ａ全体よりも弾性変形しやすい。このため、第１の衝撃吸収部材１６の上面部１６ａが衝撃力を受けた際には、第２の衝撃吸収部材１７の上片部１７ａと共に波形状の補助緩衝部２０を弾性変形させることができる。
【００５２】
この後、第１の衝撃吸収部材１６の上面部１６ａ全体が弾性することになるので、腕時計ケース１がその上面側から強い衝撃を受けても、その衝撃を、第２の衝撃吸収部材１７の上片部１７ａ、第１の衝撃吸収部材１６の上面部１６ａに設けられた補助緩衝部２０、および第１の衝撃吸収部材１６の上面部１６ａによって、その順で確実に且つ良好に緩衝することができる。
【００５３】
さらに、第１の衝撃吸収部材１６には、その外面を腕時計ケース１の内周面から離すための補助緩衝突起部２１が、第２の衝撃吸収部材１７の外面とほぼ同じ高さになるように形成されていることにより、腕時計ケース１がその側面側から衝撃を受けた際に、その衝撃力が第２の衝撃吸収部材１７の側片部１７ｂと第１の衝撃吸収部材１６における側面部１６ｂの補助緩衝突起部２１とにほぼ同時に加わるので、第２の衝撃吸収部材１７が体積変化するのとほぼ同時に、補助緩衝突起部２１を弾性変形させることができる。
【００５４】
すなわち、補助緩衝突起部２１は、第１の衝撃吸収部材１６における側面部１６ｂに円周方向の幅が狭い補助緩衝突起部２１が上下方向に沿って設けられているので、側面部１６ｂ全体の弾性力よりも補助緩衝突起部２１の弾性力が小さく、側面部１６ｂの全体よりも弾性変形しやすい。
【００５５】
このため、第１の衝撃吸収部材１６の側面部１６ｂが衝撃力を受けた際には、第２の衝撃吸収部材１７の側片部１７ｂと共に、幅の狭い補助緩衝突起部２１が弾性変形し、この後、側面部１６ｂ全体が弾性するので、腕時計ケース１の側面側からの衝撃を、第２の衝撃吸収部材１７の側片部１７ｂ、第１の衝撃吸収部材１６の側面部１６ｂに設けられた補助緩衝突起部２１、および第１の衝撃吸収部材１６の側面部１６ｂによって、その順で確実に且つ良好に緩衝することができる。
【００５６】
以上の説明から明らかなように、このような構成を備えたこの実施の形態によれば、ケース本体７の内周面と板状の時計モジュール部材４の外周面との間に配置されたアンテナ支持部材１５にアンテナ構造体７０を設けているので、ケース本体７が外部から衝撃を受けた際に、衝撃緩衝部材１６、１７による衝撃緩衝作用により時計モジュール部材４およびアンテナ構造体７０を緩衝保護することができる。また、板状の時計モジュール部材４の厚み方向と直交する横断方向に重畳して配置された複数のコア用板状部材から形成されたアンテナ構造体７０のコア７１を、板状の時計モジュール部材４の内部の位置ではなく、その外部の位置で、かつ、当該時計モジュール部材４の外周面に沿うように配置しているので、ケース本体７および板状の時計モジュール部材４の水平方向の長さ寸法を大幅に小さくすることができるばかりでなく、全体サイズの大きなアンテナ構造体７０をケース本体７の内部に配置することができる。このために、受信感度の良好なアンテナ構造体を備えた電波受信機器を提供することができる。
【００５７】
なお、上述した実施形態では、腕時計ケース１の内面と時計モジュール部材４の外面との間に配置された緩衝部材５が、モジュール部材４の外面に配置されるアンテナ支持部材５を備えている構成である場合について述べたが、必ずしもモジュール部材４の外面にアンテナ支持部材５を設ける必要はなく、例えばモジュール部材４の外面に第１の衝撃吸収部材１６と第２の衝撃吸収部材１７とを直接配置した構成であっても良い。
【００５８】
また、上述した実施形態およびその変形例では、第１の衝撃吸収部材１６の上面部１６ａに補助緩衝部２０を設け、第１の衝撃吸収部材１６の側面部１６ｂに補助緩衝突起部２１を設けた場合について述べたが、これに限らず、第１の衝撃吸収部材１６の側面部１６ｂに補助緩衝部２０を設け、第１の衝撃吸収部材１６の上面部１６ａに補助緩衝突起部２１を設けた構成でも良く、また第１の衝撃吸収部材１６の上面部１６ａおよび側面部１６ｂにそれぞれ補助緩衝部２０および補助緩衝突起部２１を設けた構成であっても良い。
また、上述した実施形態およびその変形例では、アンテナ支持部材１５は、腕時計ケース１が外部から衝撃を受けた際に、その衝撃力を全体で受け止めて時計モジュール部材４の一部に衝撃力が集中するのを緩和するように構成されているが、アンテナ支持部材１５は、硬質の合成樹脂または非磁性の金属部材にて形成しても良い。  
【００５９】
また、上述した実施形態およびその各変形例では、表示パネル１３を備えたデジタル式の腕時計に適用した場合について述べたが、必ずしもデジタル式の腕時計である必要はなく、例えば指針を備えたアナログ式の腕時計であっても良く、また腕時計に限らず、トラベルウオッチ、目覚まし時計、置き時計、掛け時計などの各種の時計に適用することができるほか、必ずしも時計である必要はなく、携帯電話機や電子辞書、携帯情報端末機（ＰＤＡ：パーソナル・デジタル・アシスタント）、パーソナルコンピュータなどの各種の電子機器に広く適用することができる。
【符号の説明】
【００６０】
１  腕時計ケース
４  時計モジュール
１５  アンテナ支持部材
１６  第１の衝撃吸収部材
１７  第２の衝撃吸収部材
７０  アンテナ構造体
７１  コア
７２  コイル
【図１】
2011109304.tif 000003
【図２】
2011109304.tif 000004
【図３】
2011109304.tif 000005
【図４】
2011109304.tif 000006
【図５】
2011109304.tif 000007
【図６】
2011109304.tif 000008